【事件の表示】
　特願２００８−９８５３０「化粧料」拒絶査定不服審判事件〔平成２１年７月２３日出願公開、特開２００９−１６１５０６〕について、次のとおり審決する。
【結　論】
　本件審判の請求は、成り立たない。
【理　由】
第１　手続の経緯
　本願は、平成２０年４月４日（優先権主張、平成１９年１２月１０日）の出願であって、平成２３年６月１０日付けで拒絶理由が通知され、同年７月２９日に手続補正がなされるとともに同日付けで意見書が提出されたが、同年１０月２０日付けで拒絶査定がなされ、これに対し、平成２４年１月１９日に拒絶査定不服審判の請求がなされるとともに手続補正がなされ、平成２５年３月２１日付けで前置報告書を用いた審尋が通知され、同年５月２３日付けで回答書が提出されたものである。
　
第２　本願発明
　本願の請求項１〜４に係る発明は、平成２４年１月１９日付けの手続補正書の特許請求の範囲の請求項１〜４に記載された事項により特定される次のとおりのものと認められる。
　
【請求項１】
　６０ｗｔ％がツバキ油であり、２７ｗｔ％がホホバ油であり、１３ｗｔ％がスクワラン油であり、前記ツバキ油とホホバ油とスクワラン油とで１００ｗｔ％を構成し、かつ、前記ツバキ油、ホホバ油、スクワラン油の混合比率は、それぞれ純度１００％として換算したものである化粧料。
【請求項２】
　ツバキ油と、ホホバ油と、スクワラン油と、の重量比が、４．６１〜４．６２：２．０６〜２．１０：１．０からなる混合料を０．０１ｗｔ％〜９９ｗｔ％の重量比率で含有したものである化粧料。
【請求項３】
　５０ｗｔ％〜７０ｗｔ％がツバキ油であり、１７ｗｔ％〜３７ｗｔ％がホホバ油であり、３ｗｔ％〜１８ｗｔ％がスクワラン油である化粧料。
【請求項４】
　５０ｗｔ％〜７０ｗｔ％がツバキ油であり、１７ｗｔ％〜３７ｗｔ％がホホバ油であり、３ｗｔ％〜１８ｗｔ％がスクワラン油である混合料を０．０１ｗｔ％〜９９ｗｔ％の重量比率で含有する化粧料。
　
　そして、本願の請求項４に係る発明（以下、「本願発明」という。）は、次のとおりのものである。
　
「【請求項４】５０ｗｔ％〜７０ｗｔ％がツバキ油であり、１７ｗｔ％〜３７ｗｔ％がホホバ油であり、３ｗｔ％〜１８ｗｔ％がスクワラン油である混合料を０．０１ｗｔ％〜９９ｗｔ％の重量比率で含有する化粧料。」
　
第３　引用例、周知例、及びそれらの記載事項
１　原査定の拒絶の理由に引用された、本願の優先権主張の日前である平成１６年２月２６日に頒布された「特表２００４−５０５９０４号公報」（原査定の引用文献１。以下、「引用例１」という。）には、次の事項が記載されている。なお、以下、下線は当審で付したものである。
　
（１ａ）「【特許請求の範囲】
【請求項１】
局所的に投与する配合物における脂質成分として使用する皮脂に類似する調整物であって、ヒト皮脂に存在するものと等しい量において飽和、モノ不飽和及びジ不飽和酸、スクアレン、ワックス、遊離及びエステル化コレステロールが豊富なトリグリセリドを提供することが可能な天然起源の物質からなる調整物
　
（１ｂ）「【０００１】
【発明の属する技術分野】
本発明は、皮膚の恒常性へ脂質機能の平衡を再構築することを意図するものであり、老化及び異なる皮膚症によって変更される局所的に投与される配合物に関する
　
（１ｃ）「【０００２】
【従来技術】
　・・・
【０００３】
以下の表１は、２０〜３５の間の年齢の３０人の普通の対象の額で算出された皮脂表面脂質（ＤＳＬ）の平均％及び重量組成を示す
【０００４】
表１
脂質分画　　　　　　　　　　　　　　　　　　平均±ＳＤ
スクアレン
１２．８±０．６
コレステロールエステル（ＣＥ）
ワックス（ＷＥ）
２５．６±３．２
トリグリセリド（ＴＧ）
３６．１±８．４
遊離脂肪酸（ＦＦＡ）　　　　　　　　　　　　２１．６±８．８
遊離コレステロール（ＣＨ）
ジグリセリド（ＤＧ）　　　　　　　　　　　　　０．９±０．２
モノグリセリド（ＭＧ）　　　　　　　　　　　　０．３±０．２
全脂質（μｇ／ｃｍ２）　　　　　　　　　　１９５．４±２０．６」
　
（１ｄ）「【０００５】
【発明が解決しようとする課題】
　・・・
【０００６】
脂質は、化粧品の主要な成分の１つを示し、その機能は、皮膚において脂質の平衡を保護し、再構築することである
【０００７】
本発明は、油腺によって生産されるヒト脂質にかなり類似するまったく天然起源の皮脂に類似する脂質の混合物を提供することを目的とする
皮膚への当該混合物の適用は、水の過剰な蒸発を避ける機能を有し、外部試薬から皮膚を保護し、軟質にしなければならない
　
（１ｅ）「【０００８】
【課題を解決するための手段】
皮脂は、約６０％のトリグリセリド、２５％のワックス（脂肪酸及びアルコールのエステル）、１２％のスクアレン（コレステロール合成の中間生産物）、コレステロール、及び平衡のエステルからなる
【０００９】
【発明の実施の形態】
皮膚において、トリグリセリドは、残留フローラのリパーゼから遊離したジグリセリド、モノグリセリド、脂肪酸へ加水分解される。当該分画が、トリグリセリドの加水分解の実際の生産物であり、油腺による直接的な生合成され、それらは、本発明の配合物として使用されなかった。したがって、好ましい実施態様において、混合物は、
トリグリセリドとして使用することができる表皮の酸にかなり類似する飽和酸、モノ不飽和酸、及びジ不飽和酸において共に豊富な３５〜７０％、好ましくは５０％のマカダミア油、及び５〜１５％、好ましくは１０％のアボカド油からなる
【００１０】
なお、
本発明によれば、６〜１５％、好ましくは１２％のオリーブ油の不けん化可能な生成物、１８〜３０％、好ましくは、２４％のホホバワックス、０．５〜３％、好ましくは１．５％の遊離コレステロール、及び０．５〜１．５％、好ましくは０．５％のオレイン酸コレステロール、は、人皮脂に存在するものにそれらの構造がかなり類似し、同等の量においてスクアレン、ワックス、遊離型、エステル化コレステロールを提供することができる
【００１１】
本発明による化粧品調製物において脂質混合物として使用される皮脂と類似の油の第一の配合物は、以下のようである
マカダミア油　　　　　　　　　　　　　　　　３５〜７０
ホホバ油（ワックス）　　　　　　　　　　　　１８〜３０
アボカド油　　　　　　　　　　　　　　　　　５〜１５
オリーブ油の不けん化生成物　　　　　　　　　６〜１５
遊離コレステロール　　　　　　　　　　　　　０．５〜３
オレイン酸コレステロール　　　　　　　　　　０．５〜１．５
大豆ホスホリピッド　　　　　　　　　　　　　１〜３
ＢＨＹ（ブチルヒドロキシトルエン）　　　　　０．０５〜０．１５
【００１２】
皮脂に類似する前述の油の好ましい配合物が以下のようであることが、行なわれた実験から注目すべきことである。
成分（ｇ、ｍｌ）　　　　　　　　　　　　　　　　　％
マカダミア油
５０
ホホバ油（ワックス）
２４．５
アボカド油
１０
オリーブ油の不けん化生成物（スクアレン）
１２
遊離コレステロール　　　　　　　　　　　　　　１．５
オレイン酸コレステロール　　　　　　　　　　　０．５
大豆ホスホリピッド　　　　　　　　　　　　　　１．４
ＢＨＹ（ブチルヒドロキシトルエン）　　　　　　０．１」
　
２　本願の優先権主張の日前から知られていた周知の事項を示す、「大木道則他編、『化学大辞典』、株式会社東京化学同人、１９９６年４月１日、第１版第４刷、６３８、１１８８、２４００〜２４０１、２５５４頁」（以下、「周知例Ａ」という。）には、次の事項が記載されている。
　
（Ａ１）「
グリセリド
グリセリン（グリセロール）の脂肪酸エステルを総称してグリセリドまたはアシルグリセロール（ａｃｙｌｇｌｙｃｅｒｏｌ）という
結合している脂肪酸基の数により，モノ，ジ，トリグリセリドに区別され
　
（Ａ２）「
スクアラン［ｓｑｕａｌａｎｅ］
スクアレンをニッケル触媒存在下水素添加して得られる
空気中で安定な無色の液体
　
スクアレン［ｓｑｕａｌｅｎｅ］
サメ肝油に多量に存在するほか，諸動物の肝臓や，ヒトの皮脂などにも含まれる
オリーブ油
にも少量含まれる
ニッケル触媒存在下水素添加するとスクアランが得られる
　
（Ａ３）「
油脂
天然の動植物界に広く存在し，タンパク質および炭水化物とともに重要な成分をなす
主成分は脂肪酸のグリセリントリエステルであり，副成分としてグリセリンジエステルやグリセリンモノエステルなどがある
　
（Ａ４）「
ろう［ｗａｘ］
化学的には長鎖の脂肪酸と長鎖の一価アルコールのエステルで固形状のものをいい，油脂とは別種のものである
しかし実際にはもっと広義に用いられ
　
３　本願の優先権主張の日前から知られていた周知の事項を示す、「日本化粧品技術者会編、『化粧品事典』、丸善株式会社、平成１７年４月２５日、第３刷、７１頁」（以下、「周知例Ｂ」という。）には、次の事項が記載されている。
　
（Ｂ１）「
皮表脂質は脂腺由来と表皮由来からなるが，脂腺由来の皮脂が９５％を占める
大半が中性脂肪およびその分解産物で，そのほか，脂肪酸，スクワレン，ワックスエステルなどが含まれる
　
４　本願の優先権主張の日前から知られていた周知の事項を示す、「廣田博著、『化粧品用油脂の科学』、フレグランスジャーナル社、平成１３年４月１０日、第１版第２刷、１９〜２６、５２、５８〜５９、１９７〜１９９頁」（以下、「周知例Ｃ」という。）には、次の事項が記載されている。
　
（Ｃ１）「１）　
アボカド油
　・・・
　アボカドの果肉には，油脂分が多く含有されており（１５〜２０％），そのほかビタミンＡ，Ｅなど脂溶性ビタミンやビタミンＢ群を豊富に含有している。
　その脂肪酸組成は，表２−９に示すように
オレイン酸を主体とするグリセリドである
　・・・
　
これらの特性は化粧品用油性基剤として有用で，米国でだいぶ以前から用いている理由でもある
２）
オリブ油
　
オリブ油は，化粧品の油性基剤として用いられている不乾性油の中で代表的な油脂である
　・・・
　圧搾工程の後半の油は，脱色，脱臭など一般の精製法により処理し，精製オリブ油とし，化粧品などの原料となる。
　オリブ油の脂肪酸組成の文献値は，表２−９に示したが，品種，産地などにより相当な幅があり，
その主成分であるオレイン酸の含有量は
　
オリブ油は従来から日本薬局方にも収載されており，軟膏，硬膏，リニメント剤など，外用製剤用基剤として古くから用いられている
　化粧品用原料としては，化粧石けんやサンタンオイル，ベビーオイルに用いられるほか，皮膚に対するエモリエント剤として，各種のクリームやリップクリーム，マッサージオイル，頭髪油などに広く用いられる。
　・・・
３）　
ツバキ油
　
ツバキ　Ｃａｍｅｌｌｉａ　ｊａｐｏｎｉｃａ　Ｌ．（ヤブツバキ）の学名からもわかるように，わが国特産のツバキの種子（含油率３５〜４５％）から採取した油である
　その脂肪酸組成は，
オレイン酸を主成分（８５〜９０％）とし，オレイン酸系の植物油の中でも，その含有量は最も多い
　ツバキ油はオリブ油とともに代表的な不乾性油であるが，その凝固点の低いことは特長のひとつで，オリブ油よりもさらに低い（表２−８）。
　
ツバキ油は酸化しにくい安定な油である
これは不乾性油のなかでもリノール酸の含有率が少ないためである
　
化粧品用としては，古くから髪油として賞用されてきた
　・・・
８）　
マカデミアナッツ油
　マカデミアナッツ　Ｍａｃａｄａｍｉａ　ｔｅｒｎｉｆｏｌｉａ　Ｆ．　Ｍｕｅｌｌの果実から得られる油で，これもパルミトレイン酸を多量に含有するのが特長である。
　マカデミアナッツは，オーストラリアが原産地でハワイ・米国西海岸でも生産される果実で，含油率は極めて高い（約４５％）。
その構成脂肪酸はオレイン酸が主成分であるが
　
（Ｃ２）「２−２−５．　植物性液体ロウ
　植物性液体ロウで，化粧品原料として現在用いられているのはホホバ油　Ｊｏｊｏｂａ　ｏｉｌ（粧配規）のみである。
常温で液体であるため，ホホバ油と呼ばれているが，その主成分は不飽和の高級脂肪酸と不飽和アルコールとのエステルであり，化学構造上は明らかにロウである
　・・・
　
このようにホホバ油は不飽和のロウエステルであるが，酸化されにくく耐温性にもすぐれている
　一般の植物油と比べて油ぎった感触はなく，皮膚になじみやすいので，クリーム，乳液，ボディオイルのほか，口紅その他のメークアップ製品に用いられる。」（５２頁８〜２２行）
　
（Ｃ３）「【７】　
スクワラン　Ｓｑｕａｌａｎｅ
　
アイザメ　Ｃｅｎｔｒｏｐｈｏｒｕｓをはじめ，その他の深海に生息するサメ類の肝油から採取したスクワレン　ｓｑｕａｌｅｎｅ
　・・・
　
スクワレンは人間の皮脂中にも５〜１０％含まれていることが古くから知られており，最近の報告によると１０〜１４％ともいわれている
　・・・
　
しかしスクワレンは，不飽和結合を６個有しており（ヨウ素価３６０〜３７０），非常に不安定な炭化水素で空気にさらすと酸敗しやすく，そのままでは化粧品原料として使用できない
　
そのため，これを水素添加して飽和の炭化水素であるスクワランＣ
３０
Ｈ
６２
として用いている
　スクワランは飽和の炭化水素であるが，炭素鎖の中間に４個のメチル基を分枝状に有しているので，その凝固点は非常に低い（−６０〜−６５）。
　そのため流動パラフィンに比べて油性感はなく，皮膚への吸収はラノリンや豚脂などに比べてもはるかにすぐれている。
　またスクワランは，皮膚に吸収されても刺激がなく，アレルギー反応も生じないので，外用薬や化粧品用油性基剤としては，生化学的な面からも非常にすぐれている。
　化粧品への応用面としては，クリームや乳液のみではなく，口紅やファンデーション類，ベビーオイル，ヘアケア製品など，あらゆる化粧品に用いられる。」（５８頁７行〜５９頁１４行）
　
（Ｃ４）「
皮脂の組成についての研究は，だいぶ以前から多くの皮膚科学者によって行われているが，人種，性別，年齢あるいは気候条件などによって異なっているためか，その報告も研究者によってまちまちである
文献からみた皮膚の表面脂質の組成を示すと，表６−１のとおりである
　皮膚の表面脂質は個人差が大きく，また同一人間においても，その部位によってかなり相違がある。Ｖ．Ｒ．Ｗｈｅａｔｌｅｙは，皮膚表面脂質だけではなく，表面脂質の脂肪酸組成のほか，表皮内脂質や表皮リン脂質の組成など，幅広く研究している。
　Ｖ．Ｒ．Ｗｈｅａｔｌｅｙによると，皮膚の表面脂質中に遊離脂肪酸が多いのは，分泌過程および皮膚上において，リパーゼなどの作用により，トリグリセリドが分解されるためであるといわれている。
これに反してヒト皮脂における脂質では遊離脂肪酸が少なく，トリグリセリドが最も多い
　・・・
」（１９７頁最下行〜１９９頁、表６−２）
　
５　本願の優先権主張の日前から知られていた周知の事項を示す、「蔵多淑子他編、『化粧品原料辞典』、日光ケミカルズ株式会社他、平成３年１１月２９日、１５、９４、２３７〜２３８、２８９、４０１、４４３〜４４４頁」（以下、「周知例Ｄ」という。一部、拒絶査定の引用文献２と同じ。）には、次の事項が記載されている。
　
（Ｄ１）「
アボカド油
　・・・
組成　
オレイン酸などの不飽和脂肪酸を主体としたトリグリセリドである
　パルミチン酸　　　　　４．０〜１６．０％
　パルミトレイン酸　　　０．５〜　７．４％
　ステアリン酸　　　　　０．０〜　０．１％
　オレイン酸　　　　　６４．０〜９０．０％
　リノール酸　　　　　　２．２〜１２．２％
　リノレイン酸　　　　　０．０〜　２．０％
　アラキドン酸　　　　　０．０〜　０．１％
特徴　ほかの天然植物油と同様，皮膚に対する親和性が高く，表皮に容易に浸透する．粘度の温度依存性が低いので，冬季においても粘度上昇が小さい．
用途　
クリーム，乳液など基礎化粧品のエモリエント剤ないし基剤として用いられる
性状　
２０℃以下の温度で多少濁りを生じる
淡黄色〜暗緑色を呈する
わずかに特異なにおいがある
　
（Ｄ２）「
オリブ油
　・・・
組成　
トリグリセリドで，構成脂肪酸は不飽和脂肪酸がほとんどで，オレイン酸が大部分を占める
　ミリスチン酸　　　　　微量
　パルミチン酸　　　　　９．０％
　ステアリン酸　　　　　２．３％
　オレイン酸　　　　　８２．５％
　リノール酸　　　　　　６．０％
　アラキン酸　　　　　　０．２％
特徴　不飽和度が小さくて酸化しにくく，皮膚に塗布したときエモリエントな感じを与える．
用途　
各種クリーム，マッサージオイル，ブリランチン，頭髪油，サンオイルなどに広く用いられている
性状　淡黄色〜淡緑黄色の透明な液体で，わずかに特異なにおいがある．」（９４頁左欄下から１２行〜同頁右欄１４行）
　
（Ｄ３）「
スクワラン［Ｓｑｕａｌａｎｅ
　・・・
　スクワランはスクワレンを水素添加し，精製することにより得られる炭化水素である（Ｃ３０Ｈ６２：４２２．８）．
スクワレンはアイザメ，そのほかの主として深海のサメ類の肝油中に多量に存在する
また，人体皮脂，綿実油，オリブ油などにも存在している
　・・・
特徴　皮膚に対する浸透性がよい．鉱油系炭化水素に比べて油性感が少なく，皮膚に対する浸透性，潤滑性はラードやラノリンよりも優れている．また非常に乳化しやすいので化粧品の油相原料としては優れているものの一つである．
用途　各種クリーム，特に栄養および薬用クリーム，乳液，化粧水，口紅，ファンデーション，パウダー類などほとんどすべての化粧品に使用される．また，高級セッケンの過脂肪剤として使用されるほか，軟膏，坐薬などに用いて，薬剤を皮膚によく吸収させる．
性状　無色，無味，無臭で，透明な油状液体である．・・・
　・・・
スクワレン［Ｓｑｕａｌｅｎｅ
　・・・
　
スクワレンはアイザメ，そのほかの主として深海のサメ類の肝油中に多量に存在する
人体皮脂中，綿実油，オリブ油などにも存在する
　・・・
特徴　皮膚に対する浸透性がよい．皮膚に対する親和性がある．
用途　化粧品の油相原料（部分水添スクワレンとしても使用される）や健康食品として使用される．
性状　無色〜淡黄色の油状液体で，特異なにおいがある．
長時間空気中にさらすと酸敗のおそれがある
　
（Ｄ４）「
ツバキ油
　・・・
　ツバキ（Ｃａｍｅｌｌｉａ　ｊａｐｏｎｉｃａ　Ｌ．）の種皮を除いた種子を圧搾，精製して得られる不乾性油である．
ツバキは高さ３〜６ｍの常緑高木で，日本の樹木としてよく知られ，温暖な地域の海岸，島に多い
組成　
主成分はオレイン酸のトリグリセリドである
　飽和脂肪酸　　　　　　９．１〜１１．５％
　オレイン酸　　　　　８５．６〜８９．４％
　リノール酸　　　　　　１．３〜　２．９％
特徴　
おもな植物油の中でもオレイン酸の含有量が最も高い
リノール酸含量が少ないため酸化安定性が高い
用途　
頭髪油に用いられる
また軟膏基剤やパスタ剤としてオリブ油の代用に用いられる
性状　
微黄色澄明な油状液体でほとんどにおいはない
　
（Ｄ５）「
ホホバ油
　・・・
組成　
Ｃ
３４
〜Ｃ
５０
のロウエステルが９５％以上を占め
特徴　酸化されにくく，耐温度性に優れ，皮膚に塗布したとき，のびがよくしなやかな感じを与え，さっぱりしている．ホホバ油を皮膚に塗布すると皮脂腺からの皮脂の分泌を抑えることができるので，にきびの治療に有効である．また，頭皮に吸収されやすく，皮膚に柔軟性を与え，皮脂の過剰分泌を抑えるため，ふけ防止に効果があり，毛髪の成長を促進するといわれる．
用途　油相成分，エモリエント剤として乳液，クリームなどのスキンケア製品，口紅，ファンデーションなどのメイクアップ製品，シャンプー，リンスなどに使用される．
性状　無色〜淡黄色の透明液体で，無臭またはわずかに特異臭がある．」（４０１頁左欄１８行〜同頁右欄１行）
　
（Ｄ６）「
マカデミアナッツ油
　・・・
　マカデミア（Ｍａｃａｄａｍｉａ　ｔｅｒｎｉｆｏｌｉａ）の種実を圧搾して得られる油脂である．マカデミアは，オーストラリア原産の常緑の中高木である．
組成　
主成分はオレイン酸，パルミトレイン酸のトリグリセリドであり
　ミリスチン酸　　　　　０．６％
　パルミチン酸　　　　　７．８％
　ステアリン酸　　　　　２．５％
　アラキン酸　　　　　　２．１％
　ベヘン酸　　　　　　　０．７％
　パルミトレイン酸　　２４．６％
　オレイン酸　　　　　５７．０％
　リノール酸　　　　　　２．１％
　ゴンドイン酸　　　　　２．３％
特徴　パルミトレイン酸を２５％近くも含有しているので感触に優れている．髪に艶としなやかさを与える．
用途　
ナリシングクリーム，コールドクリーム，マッサージクリーム，乳液など基礎化粧品の油相成分として使用される
性状　微黄色透明液体で，わずかに特異臭がある．」（４４３頁右欄下から１５行〜４４４頁左欄１０行）
　
６　本願の優先権主張の日前から知られていた周知の事項を示す、「特開２００４−１４３３１３号公報」（以下、「周知例Ｅ」という。）には、次の事項が記載されている。
　
（Ｅ１）「【０００４】・・・
ここで、特に、椿油は、人間の皮脂の成分と同じ仲間のオレイン酸トリグリセライトを多く含んでおり、天然植物油の中で、人間の脂質に最も近いオイルである
　
７　本願の優先権主張の日前から知られていた周知の事項を示す、「渡辺宏二他、『特集／ボディケア製品の研究開発の動向　ベビー用ボディケア製品の研究開発の動向』、ＦＲＡＧＲＡＮＣＥ　ＪＯＵＲＮＡＬ、１９９６−８、５３〜６１頁」（以下、「周知例Ｆ」という。）には、次の事項が記載されている。
　
（Ｆ１）「
保湿成分としては皮脂関連成分（オリーブ油，ツバキ油，スクワラン）
　
８　本願の優先権主張の日前から知られていた周知の事項を示す、「特開平１０−２１８７２９号公報」（以下、「周知例Ｇ」という。）には、次の事項が記載されている。
　
（Ｇ１）「【０００２】
【従来の技術】・・・代表的なものとしては、多価アルコール類（グリセリン、ソルビトール等）、ヒアルロン酸、コラーゲン、エラスチン、天然保湿因子（Ｎａｔｕｒａｌ　Ｍｏｉｓｔｕｒｉｚｉｎｇ　Ｆａｃｏｒ；例えばアミノ酸、乳酸塩、ピロリドンカルボン酸ソーダ、尿素等）、細胞間脂質（スフィンゴ脂質、リン脂質、コレステロール等）、
皮脂類似物質（オリーブ油、ホホバ油、スクワラン等）等の保湿成分を配合した化粧料
　
９　本願の優先権主張の日前から知られていた周知の事項を示す、「特開２００４−２２４７９１号公報」（以下、「周知例Ｈ」という。）には、次の事項が記載されている。
　
（Ｈ１）「【００２６】保湿剤として使用される油脂としては、
皮脂類似物質であるオリーブ油、ホホバ油、スクワランなどがある
　
第４　引用例に記載された発明
　引用例１の上記（１ａ）の請求項１には、「局所的に投与する配合物における脂質成分として使用する皮脂に類似する調整物であって、ヒト皮脂に存在するものと等しい量において飽和、モノ不飽和及びジ不飽和酸、スクアレン、ワックス、遊離及びエステル化コレステロールが豊富なトリグリセリドを提供することが可能な天然起源の物質からなる調整物。」が記載されている。
　ここで、「グリセリド」とは、グリセリンの脂肪酸エステルのことであって、結合している脂肪酸基の個数に応じてモノ、ジ、トリグリセリドの３種に区別され、天然油脂の主成分であることは、周知例Ａにあるとおり技術常識である（上記（Ａ１）、（Ａ３）参照）。
　また、引用例１の上記（１ｅ）【０００９】には、「トリグリセリドとして使用することができる表皮の酸にかなり類似する飽和酸、モノ不飽和酸、及びジ不飽和酸において共に豊富な・・・油からなる。」と表現されていることからも理解できるとおり、上記請求項１の「飽和、モノ不飽和及びジ不飽和酸」は、トリグリセリドを構成する脂肪酸基を意味しているといえる。
　そうすると、上記請求項１の「飽和、モノ不飽和及びジ不飽和酸、スクアレン、ワックス、遊離及びエステル化コレステロールが豊富なトリグリセリド」とあるのは、「飽和、モノ不飽和及びジ不飽和酸が豊富なトリグリセリド、スクアレン、ワックス、遊離及びエステル化コレステロール」と解釈すべきことは、当業者がただちに理解できることである。
　このことは、例えば、引用例１の上記（１ｃ）の表１には、スクワレン、ワックス、遊離コレステロール、及びコレステロールエステルと、トリグリセリドが区別して記載されていることからも裏付けられているといえる。
　
　よって、上記技術常識を考慮した解釈に基づき、引用例１には次の発明（以下、「引用例１発明」という。）が記載されていると認められる。
　
「局所的に投与する配合物における脂質成分として使用する皮脂に類似する調整物であって、ヒト皮脂に存在するものと等しい量において飽和、モノ不飽和及びジ不飽和酸が豊富なトリグリセリド、スクアレン、ワックス、遊離及びエステル化コレステロールを提供することが可能な天然起源の物質からなる調整物。」
　
第５　対比
　本願発明と引用例１発明を対比する。
　
１　引用例１には、「脂質は、化粧品の主要な成分の１つ」であること、「本発明は、油腺によって生産されるヒト脂質にかなり類似するまったく天然起源の皮脂に類似する脂質の混合物を提供することを目的とする」ことが記載されていることから（上記（１ｄ）参照）、引用例１発明の「皮脂に類似する調整物」は、化粧品の主要な成分である脂質といえる。
　そして、前記「皮脂に類似する調整物」は、「局所的に投与する配合物における脂質成分として使用する」ものであるから、引用例１発明の「局所的に投与する配合物」は化粧品といえる。
　よって、引用例１発明の「局所的に投与する配合物」は、本願発明の「化粧料」に相当する。
　
２　引用例１発明の「ヒト皮脂に存在するものと等しい量において飽和、モノ不飽和及びジ不飽和酸が豊富なトリグリセリド、スクアレン、ワックス、遊離及びエステル化コレステロールを提供することが可能な天然起源の物質からなる調整物」は、天然起源の物質がトリグリセリド等を提供することが可能な物質であることを特定しており、すなわち、天然起源の物質は、トリグリセリド等を含有する物質といえる。
　引用例１発明の「天然起源の物質からなる調整物」について、引用例１に具体的な定義はないが、トリグリセリド等を含有する物質の例示として、マカダミア油、アボカド油、オリーブ油の不けん化可能な生成物、ホホバワックスなどが示されていることから（上記（１ｅ）【０００９】〜【００１０】参照）、前記調整物は、複数の天然起源の物質からなるものと理解できる。
　そうすると、引用例１発明の「ヒト皮脂に存在するものと等しい量において飽和、モノ不飽和及びジ不飽和酸が豊富なトリグリセリド、スクアレン、ワックス、遊離及びエステル化コレステロールを提供することが可能な天然起源の物質からなる調整物」は、ヒト皮脂に存在するものと等しい量で、トリグリセリド等を含有する天然起源の物質を混合した混合物ということができる。
　一方、本願発明の「５０ｗｔ％〜７０ｗｔ％がツバキ油であり、１７ｗｔ％〜３７ｗｔ％がホホバ油であり、３ｗｔ％〜１８ｗｔ％がスクワラン油である混合料」について、本願明細書には、「本発明によれば、皮表脂質の主成分である、トリグリセライド、ワックスエステル、スクワレンをそれぞれ主成分として含有する、ツバキ油、ホホバ油、スクワラン油を、皮表脂質の重量比率に近似させて含有する」（段落【００１５】）と記載されていることから、皮表脂質の主成分である、トリグリセライド、ワックスエステル、スクワレンを含有する物質を、皮表脂質の重量比率に近似させて含有する混合物ということができる。
　
　ここで、“ワックス”と“ワックスエステル”、及び“スクアレン”と“スクワレン”とは、周知例Ａ、Ｃ、Ｄからも理解できるとおり、それぞれ同義であるのは技術常識であり（上記（Ａ２）、（Ａ４）、（Ｃ２）、（Ｃ３）、（Ｄ３）参照）、また、“ヒト皮質”と“皮表脂質”とは同義であることは自明である。
　
　よって、引用例１発明の「ヒト皮脂に存在するものと等しい量において飽和、モノ不飽和及びジ不飽和酸が豊富なトリグリセリド、スクアレン、ワックス、遊離及びエステル化コレステロールを提供することが可能な天然起源の物質からなる調整物」は、本願発明の「５０ｗｔ％〜７０ｗｔ％がツバキ油であり、１７ｗｔ％〜３７ｗｔ％がホホバ油であり、３ｗｔ％〜１８ｗｔ％がスクワラン油である混合料」と、「皮表脂質の成分を含有する物質を、皮表脂質の量に近似させて含有する混合物」である点で共通する。
　
３　以上のことから、両発明は、次の一致点及び相違点１〜２を有する。
　
一致点：
　「皮表脂質の成分を含有する物質を、皮表脂質の量に近似させて含有する混合物を含有する、化粧料。」
　
相違点１：
　「皮表脂質の成分を含有する物質を、皮表脂質の量に近似させて含有する混合物」について、本願発明では、「５０ｗｔ％〜７０ｗｔ％がツバキ油であり、１７ｗｔ％〜３７ｗｔ％がホホバ油であり、３ｗｔ％〜１８ｗｔ％がスクワラン油である混合料」と特定しているのに対し、引用例１発明では、「ヒト皮脂に存在するものと等しい量において飽和、モノ不飽和及びジ不飽和酸が豊富なトリグリセリド、スクアレン、ワックス、遊離及びエステル化コレステロールを提供することが可能な天然起源の物質からなる調整物」と特定している点
　
相違点２：
　「化粧料」が、本願発明では、「混合料を０．０１ｗｔ％〜９９ｗｔ％の重量比率で含有する」のに対し、引用例１発明では、化粧料に相当する「局所的に投与する配合物」に「脂質成分として使用する皮脂に類似する調整物」の量が不明である点
　
第６　判断
　そこで、上記相違点１〜２について検討する。
　
１　相違点１について
（１）皮脂の成分について
　引用例１の上記（１ｃ）の表１には、ヒトの皮脂表面脂質の平均％及び重量組成が示されており、スクアレン、ワックス（ＷＥ）、トリグリセリド、コレステロールエステル（ＣＥ）、及び遊離コレステロール（ＣＨ）が含まれることが示され、上記（１ｅ）【０００８】には、「皮脂は、約６０％のトリグリセリド、２５％のワックス（脂肪酸及びアルコールのエステル）、１２％のスクアレン（コレステロール合成の中間生産物）、コレステロール、及び平衡のエステルからなる。」と記載されている。
　そして、引用例１の上記記載のみならず、周知例Ｂ及びＣ（上記（Ｂ１）、（Ｃ４）参照）、また本願明細書にも示されるとおり（本願明細書の段落【００１５】、【００３３】〜【００３５】参照）、ヒトの皮脂には、トリグリセリド、ワックスエステル、スクワレン、遊離コレステロール、及びコレステロールエステルが含まれていることは、当業者に周知の事項である。
　そこで、以下に、引用例１発明において、「皮脂に類似する調整物」のうち、皮脂の主要な成分である「飽和、モノ不飽和及びジ不飽和酸が豊富なトリグリセリド」、「スクアレン」、「ワックス」を提供することが可能な天然起源の物質について検討する。
　
（２）トリグリセリドを提供することが可能な天然起源の物質について
　トリグリセリドは、グリセリンの脂肪酸エステルであり、皮脂の成分の一つであるとともに、天然油脂の主成分でもある（上記（１ｃ）、（Ａ１）、（Ａ３）、（Ｃ４）参照）。
　そして、引用例１では、このトリグリセリドを提供可能な天然起源の物質として、マカダミア油とアボカド油の混合物を例示している（上記（１ｅ）【０００９】参照）。
　ところで、周知例Ｃ、Ｄにあるとおり、引用例１で例示されているマカダミア油及びアボカド油は、化粧品用の油脂として汎用されているものであり、化粧品用の油脂として、これらの他にオリーブ油やツバキ油も汎用されている（上記（Ｃ１）、（Ｄ１）、（Ｄ２）、（Ｄ４）、（Ｄ６）参照）。
　特に、周知例Ｃ、Ｄに示されるとおり、アボカド油は米国では古くから用いられていること、一方、オリーブ油やツバキ油は日本国内で古くから用いられているものであり、ツバキ油はわが国特産のものであること、また、これらの油脂はいずれもトリグリセリドの脂肪酸としてオレイン酸を主成分としていることは、当業者に周知の事項である（上記（Ｃ１）、（Ｄ１）、（Ｄ２）、（Ｄ４）、（Ｄ６）参照）。
　そして、周知例Ｅ〜Ｈに記載されているように、オリーブ油やツバキ油をヒト皮脂と関連した油脂として使用することも、本願の優先権主張の日前から広く行われていることである（上記（Ｅ１）、（Ｆ１）、（Ｇ１）、（Ｈ１）参照）。
　そうしてみると、引用例１発明において、皮脂に類似する調整物のための天然起源の物質のうち、「飽和、モノ不飽和及びジ不飽和酸が豊富なトリグリセリド」を提供可能な物質として、引用例１に例示されているマカダミア油とアボカド油の混合物にかえて、オリーブ油やツバキ油を採用することは、当業者、特にわが国の当業者であれば、容易に想到し得たことであり、ツバキ油と特定することも困難を要することではない。
　
（３）スクアレンを提供することが可能な天然起源の物質について
　引用例１には、スクアレンを提供可能な天然起源の物質として、「オリーブ油の不けん化生成物（スクアレン）」が例示されている（上記（１ｅ）【００１０】、【００１２】参照）。
　そして、スクアレンは、オリーブ油以外に、サメ肝油やヒトの皮脂に含まれる成分であることは、周知例Ａ、Ｃ、Ｄにあるとおり、当業者に周知の事項である（上記（Ａ２）、（Ｃ３）、（Ｄ３）参照）。
　一方で、スクアレンは、不飽和結合を有しているため非常に不安定で酸敗しやすいため、化粧品原料としては、これを水素添加して飽和の炭化水素としたスクワランが使用されていることも、周知例Ａ、Ｃ、Ｄ、Ｆ〜Ｈにあるとおり、当業者に周知の事項である（上記（Ａ２）、（Ｃ３）、（Ｄ３）、（Ｆ１）、（Ｇ１）、（Ｈ１）参照）。
　そうしてみると、化粧料の分野においては、スクアレンは不安定で酸敗しやすいことが知られており、水添処理したスクワランを用いることが一般に行われていることを考慮すると、引用例１発明では、スクアレンを提供することが可能な天然起源の物質として、オリーブ油の不けん化生成物（スクアレン）が例示されているが、これを水添処理したスクワランとすることは、当業者に自明な事項である。
　そして、スクワランをスクワラン油と表現することも、オリーブ油やサメ肝油由来の炭化水素であることから格別なことではない。
　
　なお、平成２３年６月１０日付け拒絶理由、同年１０月２０日付け拒絶査定、及び平成２５年３月２１日付け審尋において、引用例１には「スクアレン」が記載されていると認定し、本願発明の容易想到性について判断している。
　
（４）ワックスを提供することが可能な天然起源の物質について
　引用例１には、ワックスを提供可能な天然起源の物質について、ホホバ油が例示されている（上記（１ｅ）【００１０】〜【００１２】参照）。
　そして、周知例Ｃ、Ｄにあるとおり、ホホバ油は、不飽和のロウスエステルとも表現され（上記（Ｃ２）、（Ｄ５）参照）、周知例Ｇ、Ｈにもあるとおり、ヒト皮脂に類似する成分として広く用いられているものである（上記（Ｇ１）、（Ｈ１）参照）。
　よって、引用例１発明において、ワックスを提供することが可能な天然起源の物質としてホホバ油と特定することは、引用例１に既に示されている。
　
（５）遊離及びエステル化コレステロールを提供することが可能な天然起源の物質について
　引用例１発明の調整物は、さらに遊離及びエステル化コレステロールを提供可能な天然起源の物質も必須の成分としているが、引用例１では、これらは、上記トリグリセリド、スクアラン、ワックスとは別の物質として認識し、別個に配合している（上記（１ｅ）【００１０】〜【００１２】参照）。
　一方、本願発明では、混合料に遊離及びエステル化コレステロールを含有することについて特定していない。
　そして、本願明細書の段落【００１５】の「皮表脂質の主成分である、トリグリセライド、ワックスエステル、スクワレンをそれぞれ主成分として含有する、ツバキ油、ホホバ油、スクワラン油を、皮表脂質の重量比率に近似させて含有する」との記載や、審判請求人が平成２４年１月１９日付けで提出した審判請求書の「三種類の油のみで化粧料を構成している」との主張を考慮すると、本願発明の混合料には、遊離及びエステル化コレステロールは含まれないようにも解される。
　そこで検討するに、本願明細書には、ヒトの皮脂成分には、トリグリセライド、ワックスエステル、スクワレンの他に、コレステロールエステル、コレステロールが含まれることが示され、ツバキ油、ホホバ油、スクワラン油のそれぞれが微量のコレステロールエステル及びコレステロールを含有するので、これらの成分をも含有する化粧料が得られることも説明されている（段落【００３７】〜【００３９】参照）。
　そうしてみると、本願発明においても、混合料に更に遊離及びエステル化コレステロールが存在することを排除していないことが明らかである。そのうえ、その起源についても特段の制約を定めているものではないから、引用例１発明の調整物がさらに遊離及びエステル化コレステロールを提供することが可能な天然起源の物質を必須とする点は、本願発明との相違点とはならない。
　
（６）皮脂に類似する調整物における天然起源の物質の配合量について
　上記（１）〜（５）で検討したとおり、引用例１発明において、皮脂に類似する調整物として、トリグリセリド、スクアレン、ワックスそれぞれを提供可能な天然起源の物質として、ツバキ油、スクワラン油、ホホバ油を選択し、これを混合したものとすることは、当業者が容易に想到し得たことである。
　そこで、次に、これらを混合する際の配合量についても検討する。
　引用例１には、ヒトの皮脂表面脂質が記載されており（上記（１ｃ）参照）、「皮脂表面脂質（ＤＳＬ）の平均％及び重量組成を示す」との記載、及び表１の「全脂質（μｇ／ｃｍ２）　１９５．４±２０．６」以外の脂質分画の平均±ＳＤの合計が約１００であることを考慮すると、表１には、トリグリセリド（ＴＧ）が３６．１±８．４ｗｔ％（２７．７〜４４．５ｗｔ％）、スクワレンが１２．８±０．６ｗｔ％（１２．２〜１３．４ｗｔ％）、ワックス（ＷＥ）が２５．６±３．２ｗｔ％（２２．４〜２８．８ｗｔ％）程度の組成であることが示されているといえる。
　また、引用例１の上記（１ｅ）には、「皮脂は、約６０％のトリグリセリド、２５％のワックス（脂肪酸及びアルコールのエステル）、１２％のスクアレン（コレステロール合成の中間生産物）、コレステロール、及び平衡のエステルからなる。」とも記載されている。
　そして、引用例１では、皮脂と類似の油の配合物の例において、トリグリセリドに対応する成分である、マカダミア油とアボカド油を５０％と１０％の合計で６０％、スクアレンに対応するオリーブ油の不けん化生成物を１２％、ワックスに対応するホホバ油を２４．５％配合した例が示されている（上記（１ｅ）【００１２】参照）。
　そうしてみると、引用例１発明における、「ヒト皮脂に存在するものと等しい量において飽和、モノ不飽和及びジ不飽和酸が豊富なトリグリセリド、スクアレン、ワックス、遊離及びエステル化コレステロールを提供することが可能な天然起源の物質からなる調整物」は、それぞれの成分に対応する別個の物質を、ヒト皮脂に存在するのと同等の量となる量で配合することで調整した調整物といえる。
　一方、本願明細書の段落【００１５】の「皮表脂質の主成分である、トリグリセライド、ワックスエステル、スクワレンをそれぞれ主成分として含有する、ツバキ油、ホホバ油、スクワラン油を、皮表脂質の重量比率に近似させて含有する」との記載のとおり、本願発明における各油の配合量は、皮表脂質の重量比率に近似させた値である。
　そうすると、引用例１発明において、「ヒト皮脂に存在するものと等しい量において飽和、モノ不飽和及びジ不飽和酸が豊富なトリグリセリド、スクアレン、ワックス、遊離及びエステル化コレステロールを提供することが可能な天然起源の物質からなる調整物」をツバキ油、スクワレン油、ホホバ油を利用して得るにあたり、ヒト皮脂と同様な組成となるように、トリグリセリドに対応するツバキ油、スクアレンに対応するスクワレン油、そしてワックスに対応するホホバ油を、本願発明の程度の重量比率で配合することは、当業者が容易になし得たことである。
　
（７）小括
　以上のとおり、相違点１は当業者が容易になし得たことである。
　
２　相違点２について
　引用例１発明は、「局所的に投与する配合物における脂質成分として使用する皮脂に類似する調整物であって」とされているとおり、皮脂に類似する調整物は、局所的に投与する配合物に脂質成分として使用するものである。
　引用例１には、前記調整物を局所的に投与する配合物、すなわち化粧品にどのような量で使用するかは記載されていないが、化粧品に使用する脂質成分は、化粧品の種類に応じて適宜決められるものであるから、引用例１発明の局所的に投与する配合物を、本願発明の０．０１ｗｔ％〜９９ｗｔ％の重量比率で配合することは、当業者が適宜なし得たことである。
　よって、相違点２は当業者が容易になし得たことである。
　
３　本願発明の効果について
　本願明細書には、本願発明の効果として、（１）皮表脂質に類似する成分を補うことが可能となり、皮膚への浸透性に優れ、かつ、皮膚の水分保持に優れる化粧料を提供できること、（２）化粧料の製造工程は、それぞれの油を混合する簡易な工程であり、容易に製造可能であるとともに、それぞれの油が分離し難いという利点があること、（３）化粧料オイル、化粧オイルジェル、化粧水、スキンクリーム、保湿用化粧料、皮膚用外用剤等として広く利用することが可能となり、皮膚の水分保持性の優れる化粧料又は外用剤としての多様性が増すことが説明されている（段落【００１５】〜【００１６】参照）。
　さらに、（４）段落【００１８】〜【００２２】において、化粧料Ａと従来のミネラルオイル及び酸化防止剤である酢酸トコフェロールを含有してなる比較料Ｂとを比較した結果が示され、（５）段落【００２２】〜【００２８】において、特にスクワラン油の配合量の上限値を１８ｗｔ％としたことにより、使用感、香調においても劣ることのない化粧料が得られたことが示されている。
　そこで、これら効果について以下に検討する。
　
（１）〜（３）について
　引用例１には、「本発明は、皮膚の恒常性へ脂質機能の平衡を再構築することを意図するものであり、老化及び異なる皮膚症によって変更される局所的に投与される配合物に関する」（上記（１ｂ））ことや、「本発明は、油腺によって生産されるヒト脂質にかなり類似するまったく天然起源の皮脂に類似する脂質の混合物を提供することを目的とする。皮膚への当該混合物の適用は、水の過剰な蒸発を避ける機能を有し、外部試薬から皮膚を保護し、軟質にしなければならない」（上記（１ｄ））という目的や課題が示されている。
　また、引用例１でも特段の処理はしておらず、単に各成分を混ぜるだけと解され、これを任意の化粧品に配合できることも当業者に自明な事項といえる。
　よって、上記（１）〜（３）の効果は、引用例１の記載から当業者が予測し得たことである。
　
（４）について
　本願明細書の記載を検討するに、そもそも比較料Ｂがどのような組成の成分であるか不明であるから、ヒトの皮脂と類似の成分である化粧料Ａとの比較において適切なものといえない。しかも、【表１】の化粧料Ａと比較料Ｂとに有意な差があるとは認められない。
　よって、前記結果から本願発明が引用例１発明に比べて優れた効果を奏するものということはできない。
　
（５）について
　化粧料において、べたつきなどの使用感や、香りなどが劣ることが望ましくないことは、証拠を示すまでもなく当然求められる課題である。
　また、引用例１の表１（上記（１ｃ）参照）や周知例Ｃにあるとおり、ヒト皮脂の組成は一定ではなく、ある程度の幅があることが知られているし（上記（Ｃ４）参照）、引用例１発明の成分には、べたつきや香りなどに影響する脂質成分が含まれている。
　そうしてみると、引用例１発明おいて、ヒトの皮脂に類似する調整物を得るにあたり、各成分の望ましい配合量を、使用感や香調などを考慮して決定することは当然のことであり、そのうえ、引用例１や周知例Ｃにあるとおり、ヒト皮脂中のスクワレンの量は１２％程度であるから（上記（１ｃ）、（１ｅ）、（Ｃ４）参照）、１８ｗｔ％という上限値が格別な効果を奏するような値ともいえない。
　また、本願明細書の【表２】〜【表４】には、スクワラン油の配合量を２３ｗｔ％とした化粧料Ａ１２及びＡ１３が、スクワラン油の配合量を１８ｗｔ％以下にしたその他の化粧料Ａ２〜Ａ１１に比べて、使用感や香調に関する評価に劣ることが示されているものの、化粧料Ａ２〜Ａ１３は、いずれもスクワラン油の配合量とともに、ツバキ油とホホバ油の配合量も変更されているから、これらの評価結果の相違がスクワラン油の配合量の違いのみに基づくと解することはできない。
　よって、本願明細書の記載を考慮しても、スクワラン油の配合量について１８ｗｔ％という上限値を決定したことに、臨界的意義を見出すことはできない。
　
４　審判請求人の主張について
　審判請求人は、（１）平成２３年７月２９日付け意見書において、「特に、ツバキ油は、トリグリセライドを主成分とするオレイン酸が安定して豊富に含まれているため、製造段階での安定性、再現性に優れているため、本願の化粧料を製造する上での簡易性に貢献している。」、（２）平成２４年１月１９日付けの審判請求書において、「ツバキ油は、トリグリセライドを主成分とするオレイン酸が安定して豊富に含まれているため、製造段階での安定性、再現性に優れている。このため、製造する上での扱いが容易で、化粧料の有効成分の含有量を考慮すると、安定した製品の供給が可能である。さらに、ツバキ油は、リノール酸の含有量が安定して低いため酸化安定性に優れるだけでなく、処方的にも良い。」、及び（３）平成２５年５月２３日付け回答書において、「しかしながら、引用文献１でトリグリセライド成分として用いられているマカダミア油及びアボカド油は、有色、かつ、独特の匂いを有するオイルであり、本願で用いられているツバキ油は、無色、無臭のオイルである点で異なっています。つまり、引用文献１と本願請求項１に係る発明とでは、色調、香調の点で大きく異なっています。このように色調、香調の点で優れるツバキ油を用いることで、人工的な皮脂として人体に使用する際の扱い易さに優れるという特有の効果を奏するものであると考えています。」と主張している。
　しかしながら、いずれも本願明細書の記載に基づかない主張であるから、採用することはできない。
　
　また、仮に、これらの主張が技術常識を考慮して本願明細書の記載に基づく主張であるとしても、ツバキ油がオレイン酸を豊富に含み、リノール酸の含有量が少ないため酸化しにくい安定な油であること、マカダミア油、アボカド油が有色で独特な臭いがあるのに対し、ツバキ油が微黄色澄明なほとんど臭いのない油であることは、周知例Ｃ、Ｄにも示されているとおり、当業者に周知の事項である（上記（Ｃ１）、（Ｄ１）、（Ｄ４）、（Ｄ６）参照）。
　よって、審判請求人の主張は、周知の事項に基づき当業者が予測し得たことであるから、上記主張を考慮しても、本願発明が格別な効果を奏するものということはできない。
　
５　まとめ
　したがって、本願発明は、引用例１発明及び周知の事項に基づき、当業者が容易になし得たことである。
　
第７　むすび
　以上のとおりであるから、本願の請求項４に係る発明は、引用例１に記載された発明及び周知の事項に基づいて、当業者が容易に発明をすることができたものであるから、特許法第２９条２項の規定により特許を受けることができない。
　したがって、その他の請求項に係る発明についての判断を示すまでもなく、本願は拒絶すべきものである。
　よって、結論のとおり審決する。